(57)【特許請求の範囲】
【請求項１】
無線ネットワークにおいて基地局から１つ以上の受信側の無線端末に送信されるダウンリンクサブフレームにダウンリンクデータをスケジュールする方法であって、
前記ダウンリンクサブフレーム内の制御領域において搬送される物理ダウンリンク制御チャネル用の制御チャネルエレメント領域を選択する選択ステップと、
ダウンリンク割り当てに対応したＡＣＫ／ＮＡＣＫ応答を搬送するアップリンクサブフレームの物理アップリンク制御チャネルの、対応する物理リソースブロックに与える負荷に基づいて、前記選択された制御チャネルエレメント領域に対して、前記ダウンリンクデータに対応した前記ダウンリンク割り当てを適用できるかどうかを判定する判定ステップと、
前記ダウンリンク割り当てを前記選択された制御チャネルエレメント領域に適用できると判定すると、前記ダウンリンク割り当てを前記選択された制御チャネルエレメント領域に適用する適用ステップと
を有することを特徴とする方法。
【請求項２】
前記物理ダウンリンク制御チャネルは、前記制御領域における１つ以上の制御チャネルエレメント領域にマッピングされ、
前記ダウンリンクサブフレーム内の制御領域における前記制御チャネルエレメント領域のそれぞれを物理アップリンク制御チャネルの物理リソースブロックにマッピングすることで、前記制御チャネルエレメント領域に適用される各ダウンリンク割り当てのそれぞれについて、前記マッピングされた物理アップリンク制御チャネルの物理リソースブロックが、前記制御チャネルエレメント領域に適用された前記ダウンリンク割り当てによる、意図された受信側の無線端末からのＡＣＫ／ＮＡＣＫ応答を搬送することを特徴とする請求項１に記載の方法。
【請求項３】
前記ダウンリンク割り当てを前記選択された制御チャネルエレメント領域に適用できないと判定すると、前記ダウンリンク割り当てを適用可能な、前記物理ダウンリンク制御チャネル内の１つ以上の他の制御チャネルエレメント領域が存在するかどうかを判断するステップと、
前記１つ以上の他の制御チャネルエレメント領域が存在すると判断すると、前記選択ステップ、前記判定ステップ、および、前記適用ステップを繰り返し実行するステップと
をさらに有することを特徴とする請求項１または２に記載の方法。
【請求項４】
前記判定ステップは、
前記選択された制御チャネルエレメント領域のダウンリンク負荷を判別するステップと、
前記選択された制御チャネルエレメント領域のダウンリンク負荷が最大ダウンリンク負荷閾値を下回っているかどうかを判別するステップと
を含み、
前記選択された制御チャネルエレメント領域のダウンリンク負荷が前記最大ダウンリンク負荷閾値を下回っていると判別すると、前記ダウンリンク割り当てを前記選択された制御チャネルエレメント領域に適用できると判定し、
前記選択された制御チャネルエレメント領域のダウンリンク負荷が前記最大ダウンリンク負荷閾値を下回っていないと判別すると、前記ダウンリンク割り当てを前記選択された制御チャネルエレメント領域に適用できないと判定する
ことを特徴とする請求項１ないし３のいずれか１項に記載の方法。
【請求項５】
前記選択された制御チャネルエレメント領域のダウンリンク負荷は、
意図された受信側の１つ以上の無線端末からの対応する１つ以上のＡＣＫ／ＮＡＣＫ応答を必要とする１つ以上の他のダウンリンク割り当てを搬送するためにすでに適用された、前記選択された制御チャネルエレメント領域のリソース量に基づいて、決定されることを特徴とする請求項４に記載の方法。
【請求項６】
前記選択された制御チャネルエレメント領域のダウンリンク負荷は、
意図された受信側の１つ以上の無線端末からの対応する１つ以上のＡＣＫ／ＮＡＣＫ応答を必要とする前記選択された制御チャネルエレメント領域内に対してすでに適用されている１つ以上の他のダウンリンク割り当ての数に基づいて、決定される
ことを特徴とする請求項４に記載の方法。
【請求項７】
前記選択された制御チャネルエレメント領域における前記ダウンリンク負荷が前記最大ダウンリンク負荷閾値を下回っているかどうかを判別するのに先立って、前記選択された制御チャネルエレメント領域に対して前記最大ダウンリンク負荷閾値を設定する設定ステップをさらに有することを特徴とする請求項４ないし６のいずれか１項に記載の方法。
【請求項８】
前記設定ステップは、
前記アップリンクサブフレームにおける前記物理アップリンク制御チャネルのチャネル品質と、
対応する前記物理アップリンク制御チャネルの物理リソースブロックによって搬送されることがすでにスケジュールされ、かつ、半固定的に適用されているアップリンク制御情報リソースの量と、
前記ダウンリンクサブフレームについての前記ダウンリンク割り当ての総数と、
前記アップリンクサブフレームによって搬送されることになっているＡＣＫ／ＮＡＣＫ応答の総数と
のうち、少なくとも１つに基づいて前記最大ダウンリンク負荷閾値を設定するステップ
を含むことを特徴とする請求項７に記載の方法。
【請求項９】
前記判定ステップは、
前記対応する物理アップリンク制御チャネルの物理リソースブロックのアップリンク負荷を判別するステップと、
前記対応する物理アップリンク制御チャネルの物理リソースブロックのアップリンク負荷が最大アップリンク負荷閾値を下回っているかどうかを判別するステップと
を含み、
前記対応する物理アップリンク制御チャネルの物理リソースブロックのアップリンク負荷が前記最大アップリンク負荷閾値を下回っていると判別すると、前記ダウンリンク割り当てを前記選択された制御チャネルエレメント領域に適用できると判定し、
前記対応する物理アップリンク制御チャネルの物理リソースブロックのアップリンク負荷が前記最大アップリンク負荷閾値を下回っていないと判別すると、前記ダウンリンク割り当てを前記選択された制御チャネルエレメント領域に適用できないと判定する
ことを特徴とする請求項１ないし３のいずれか１項に記載の方法。
【請求項１０】
前記対応する物理アップリンク制御チャネルの物理リソースブロックのアップリンク負荷は、前記対応する物理アップリンク制御チャネルの物理リソースブロックによって搬送されることをすでにスケジュールされているＡＣＫ／ＮＡＣＫ応答の数に基づいて決定されることを特徴とする請求項９に記載の方法。
【請求項１１】
前記対応する物理アップリンク制御チャネルの物理リソースブロックのアップリンク負荷が前記最大アップリンク負荷閾値を下回っているかどうかを判別するのに先立って、前記対応する物理アップリンク制御チャネルの物理リソースブロックの最大アップリンク負荷閾値を設定する設定ステップをさらに有することを特徴とする請求項９または１０に記載の方法。
【請求項１２】
前記設定ステップは、
前記アップリンクサブフレームにおける前記物理アップリンク制御チャネルのチャネル品質と、
前記対応する物理アップリンク制御チャネルの物理リソースブロックによって搬送されることがすでにスケジュールされ、かつ、半固定的に適用されているアップリンク制御情報リソースの量と、
前記ダウンリンクサブフレームについての前記ダウンリンク割り当ての総数と、
前記アップリンクサブフレームによって搬送されることになっているＡＣＫ／ＮＡＣＫ応答の総数と
のうち、少なくとも１つに基づいて前記最大アップリンク負荷閾値を設定するステップを含む
ことを特徴とする請求項１１に記載の方法。
【請求項１３】
前記無線ネットワークは、３ＧＰＰネットワークであることを特徴とする請求項１ないし１２のいずれか１項に記載の方法。
【請求項１４】
無線ネットワークにおいて基地局に配置され、１つ以上の受信側の無線端末に送信されるダウンリンクサブフレームにダウンリンクデータをスケジュールするスケジューラ装置であって、
前記無線ネットワークに配置されたゲートウェイノードから、前記１つ以上の受信側の無線端末に送信されたダウンリンクデータを受信する通信部と、
前記ダウンリンクデータをバッファリングする記憶部と、
前記通信部と前記記憶部とを制御してスケジューリングサービスを提供する処理部と
を備え、
前記処理部は、
ダウンリンクサブフレーム内の制御領域において搬送される物理ダウンリンク制御チャネル用の制御チャネルエレメント領域を選択し、
ダウンリンク割り当てに対応したＡＣＫ／ＮＡＣＫ応答を搬送するアップリンクサブフレームの物理アップリンク制御チャネルの、対応する物理リソースブロックに与える負荷に基づいて、前記選択された制御チャネルエレメント領域に対して、前記ダウンリンクデータに対応した前記ダウンリンク割り当てを適用できるかどうかを判定し、
前記ダウンリンク割り当てを前記選択された制御チャネルエレメント領域に適用できると判定すると、前記ダウンリンク割り当てを前記選択された制御チャネルエレメント領域に適用する
ことを特徴とするスケジューラ装置。
【請求項１５】
前記物理ダウンリンク制御チャネルは、前記制御領域における１つ以上の制御チャネルエレメント領域にマッピングされ、
前記ダウンリンクサブフレーム内の制御領域における前記制御チャネルエレメント領域のそれぞれを物理アップリンク制御チャネルの物理リソースブロックにマッピングすることで、前記制御チャネルエレメント領域に適用される各ダウンリンク割り当てのそれぞれについて、前記マッピングされた物理アップリンク制御チャネルの物理リソースブロックが、前記制御チャネルエレメント領域に適用された前記ダウンリンク割り当てによる、意図された受信側の無線端末からのＡＣＫ／ＮＡＣＫ応答を搬送することを特徴とする請求項１４に記載のスケジューラ装置。
【請求項１６】
前記処理部は、
前記ダウンリンク割り当てを前記選択された制御チャネルエレメント領域に適用できないと判定すると、前記ダウンリンク割り当てを適用可能な、前記物理ダウンリンク制御チャネル内の１つ以上の他の制御チャネルエレメント領域が存在するかどうかを判断し、
前記１つ以上の他の制御チャネルエレメント領域が存在すると判断すると、さらに他の制御チャネルエレメント領域を選択し、当該選択された他の制御チャネルエレメント領域に前記ダウンリンク割り当てを適用可能か判定し、当該判定の結果に基づいて当該選択された他の制御チャネルエレメント領域に前記ダウンリンク割り当てを適用する処理を繰り返し実行する
ことを特徴とする請求項１４または１５に記載のスケジューラ装置。
【請求項１７】
前記処理部は、
前記選択された制御チャネルエレメント領域のダウンリンク負荷を判別し、
前記選択された制御チャネルエレメント領域のダウンリンク負荷が最大ダウンリンク負荷閾値を下回っているときは、前記ダウンリンク割り当てを前記選択された制御チャネルエレメント領域に適用できると判定し、
前記選択された制御チャネルエレメント領域のダウンリンク負荷が前記最大ダウンリンク負荷閾値を下回っていないときは、前記ダウンリンク割り当てを前記選択された制御チャネルエレメント領域に適用できないと判定する
ことを特徴とする請求項１４ないし１６のいずれか１項に記載のスケジューラ装置。
【請求項１８】
前記処理部は、
意図された受信側の１つ以上の無線端末からの対応する１つ以上のＡＣＫ／ＮＡＣＫ応答を必要とする１つ以上の他のダウンリンク割り当てを搬送するためにすでに適用された、前記選択された制御チャネルエレメント領域のリソース量に基づいて、前記選択された制御チャネルエレメント領域のダウンリンク負荷を決定する
ことを特徴とする請求項１７に記載のスケジューラ装置。
【請求項１９】
前記処理部は、
意図された受信側の１つ以上の無線端末からの対応する１つ以上のＡＣＫ／ＮＡＣＫ応答を必要とする前記選択された制御チャネルエレメント領域内に対してすでに適用されている１つ以上の他のダウンリンク割り当ての数に基づいて、前記選択された制御チャネルエレメント領域のダウンリンク負荷を決定する
ことを特徴とする請求項１７に記載のスケジューラ装置。
【請求項２０】
前記処理部は、
前記選択された制御チャネルエレメント領域における前記ダウンリンク負荷が前記最大ダウンリンク負荷閾値を下回っているかどうかを判定するのに先立って、前記選択された制御チャネルエレメント領域に対して前記最大ダウンリンク負荷閾値を設定する
ことを特徴とする請求項１７ないし１９のいずれか１項に記載のスケジューラ装置。
【請求項２１】
前記処理部は、
前記アップリンクサブフレームにおける前記物理アップリンク制御チャネルのチャネル品質と、
対応する前記物理アップリンク制御チャネルの物理リソースブロックによって搬送されることがすでにスケジュールされ、かつ、半固定的に適用されているアップリンク制御情報リソースの量と、
前記ダウンリンクサブフレームについての前記ダウンリンク割り当ての総数と、
前記アップリンクサブフレームによって搬送されることになっているＡＣＫ／ＮＡＣＫ応答の総数と
のうち、少なくとも１つに基づいて前記最大ダウンリンク負荷閾値を設定する
ことを特徴とする請求項２０に記載のスケジューラ装置。
【請求項２２】
前記処理部は、
前記対応する物理アップリンク制御チャネルの物理リソースブロックのアップリンク負荷を判別し、
前記対応する物理アップリンク制御チャネルの物理リソースブロックのアップリンク負荷が最大アップリンク負荷閾値を下回っているときは、前記ダウンリンク割り当てを前記選択された制御チャネルエレメント領域に適用できると判定し、
前記対応する物理アップリンク制御チャネルの物理リソースブロックのアップリンク負荷が前記最大アップリンク負荷閾値を下回っていないときは、前記ダウンリンク割り当てを前記選択された制御チャネルエレメント領域に適用できないと判定する
ことを特徴とする請求項１４ないし１６のいずれか１項に記載のスケジューラ装置。
【請求項２３】
前記処理部は、
前記対応する物理アップリンク制御チャネルの物理リソースブロックによって搬送されることをすでにスケジュールされているＡＣＫ／ＮＡＣＫ応答の数に基づいて、前記対応する物理アップリンク制御チャネルの物理リソースブロックのアップリンク負荷を決定する
ことを特徴とする請求項２２に記載のスケジューラ装置。
【請求項２４】
前記処理部は、
前記対応する物理アップリンク制御チャネルの物理リソースブロックのアップリンク負荷が前記最大アップリンク負荷閾値を下回っているかどうかを判別するのに先立って、前記対応する物理アップリンク制御チャネルの物理リソースブロックについての最大アップリンク負荷閾値を設定する
ことを特徴とする請求項２２または２３に記載のスケジューラ装置。
【請求項２５】
前記処理部は、
前記アップリンクサブフレームにおける前記物理アップリンク制御チャネルのチャネル品質と、
前記対応する物理アップリンク制御チャネルの物理リソースブロックによって搬送されることがすでにスケジュールされ、かつ、半固定的に適用されているアップリンク制御情報リソースの量と、
前記ダウンリンクサブフレームについての前記ダウンリンク割り当ての総数と、
前記アップリンクサブフレームによって搬送されることになっているＡＣＫ／ＮＡＣＫ応答の総数と
のうち、少なくとも１つに基づいて前記最大アップリンク負荷閾値を設定する
ことを特徴とする請求項２４に記載のスケジューラ装置。
【請求項２６】
前記無線ネットワークは、３ＧＰＰネットワークであることを特徴とする請求項１４ないし２５のいずれか１項に記載のスケジューラ装置。
【発明の詳細な説明】
【技術分野】
【０００１】
本発明は、物理ダウンリンク制御チャネル（ＰＤＣＣＨ）上のダウンロードデータアサインメントの配置を制御することによって物理アップリンク制御チャネル（ＰＵＣＣＨ）の負荷を制御することに関する。
【背景技術】
【０００２】
ＬＴＥ（Ｌｏｎｇ  Ｔｅｒｍ  Ｅｖｏｌｕｔｉｏｎ）は、第３世代パートナーシッププロジェクト（３ＧＰＰ）が標準化している無線アクセス技術（ＲＡＴ）である。ＬＴＥでは、すべてのサービスが、パケット交換（ＰＳ）ドメインによって利用可能になる。ＬＴＥにおけるダウンリンクおよびアップリンクの伝送は複数のアクセス技術を使用し、ダウンリンクに関しては直交周波数分割多元接続（ＯＦＤＭＡ）、そしてアップリンクに関してはシングルキャリア周波数分割多元接続（ＳＣ−ＦＤＭＡ）を使用する。
【０００３】
ＯＦＤＭＡとＳＣ−ＦＤＭＡの両方において、シグナリングのために多数の密集した直交サブキャリアが並列に伝送される。従って、シグナリングは、周波数コンポーネントと時間コンポーネントの両方によって定義される。ＬＴＥでは、ユーザ装置（ＵＥ）とｅＮｏｄｅＢとの間の無線通信が、所定の無線フレームによって行われる。各フレームは長さ１０ｍｓであり、それぞれが長さ１ｍｓの１０個のサブフレームに分割されている。各サブフレームは、それぞれの期間が０．５ｍｓの２つのスロットに細分されている。従って、各スロットまたは各サブフレームで伝送される信号は、周波数ドメインの相当数のサブキャリアとタイムドメインの相当数のシンボルを含むリソースグリッドで定義される。
【０００４】
ＬＴＥでは、各ＵＥに対する無線リソースが、１つ以上の物理リソースブロック（ＰＲＢ）で割り当てられる。構成次第で、各ＰＲＢは、周波数ドメインにおいて１２個または２４個のサブキャリア（「トーン」とも呼ばれる）に及び、タイムドメインにおいて１つのスロット（０．５ｍｓ）（６または７のＯＦＤＭまたはＳＣ−ＦＤＭＡシンボル）に及ぶ。１つのサブキャリア上の１つのＯＦＤＭ（またはＳＣ−ＦＤＭＡ）シンボルは、リソースエレメント（ＲＥ）と呼ばれる。
【０００５】
図１は、アップリンク／ダウンリンク無線シグナリングの一例を図式的に表している。この例では、周波数ドメインにおいてＰＲＢ当たり１２個の連続するサブキャリアが有る。隣接サブキャリア間に１５ｋＨｚの通常のインターバル（間隔）を有しているので、ＰＲＢの周波数帯域幅は１８０ｋＨｚである。ＰＲＢはまた、タイムドメインにおいて７シンボル（ＯＦＤＭまたはＳＣ−ＦＤＭＡ）に及ぶ。ＰＲＢは、ＵＥに対してｅＮｏｄｅＢが割り当てる無線リソースの最小単位である。
【０００６】
ＬＴＥにおいては、専用の個別データチャネルは使用されない。代わりに、ｅＮｏｄｅＢとＵＥとの間のダウンリンク通信でもアップリンク通信でも、共用トランスポートチャネルリソースが使用される。この共用トランスポートチャネルリソースであるダウンリンク共用チャネル（ＤＬ−ＳＣＨ）およびアップリンク共用チャネル（ＵＬ−ＳＣＨ）は、ｅＮｏｄｅＢのスケジューラによってそれぞれ制御される。このスケジューラは、ダウンリンク共用チャネルおよびアップリンク共用チャネルの様々な部分を、それぞれＵＥの受信のためおよび送信のために様々なＵＥに割り当てる。
【０００７】
この共用トランスポートチャネルのＤＬ−ＳＣＨおよびＵＬ−ＳＣＨは、ダウンリンクＯＦＤＭサブフレームの物理ダウンリンク共用チャネル（ＰＤＳＣＨ）およびアップリンクＳＣ−ＦＤＭＡサブフレームの物理アップリンク共用チャネル（ＰＵＳＣＨ）にそれぞれマッピングされる。ＰＤＳＣＨもＰＵＳＣＨも、主としてデータトランスポートに使用され、それ故、高データレートを達成するように設計されている。
【０００８】
ＯＦＤＭサブフレームおよびＳＣ−ＦＤＭＡサブフレームは、それぞれ物理ダウンリンク制御チャネル（ＰＤＣＣＨ）および物理アップリンク制御チャネル（ＰＵＣＣＨ）も含む。ＰＤＣＣＨは、ｅＮｏｄｅＢからＵＥへ、ＵＥ固有のダウンリンク制御情報（ＤＣＩ）を伝達するために使用される。同様に、ＰＵＣＣＨは、ＵＥからｅＮｏｄｅＢへチャネル品質インジケータ（ＣＱＩ）報告、ＡＣＫ／ＮＡＣＫ応答、およびスケジューリング要求（ＳＲ）などのアップリンク制御情報（ＵＣＩ）を伝送するために使用される。
【０００９】
物理チャネルのＰＤＳＣＨおよびＰＤＣＣＨに加えて、ＯＦＤＭサブフレームは、物理ブロードキャストチャネル（ＰＢＣＨ）、物理マルチキャストチャネル（ＰＭＣＨ）、物理制御フォーマット通知チャネル（ＰＣＦＩＣＨ）、および物理ハイブリッドＡＲＱ通知チャネル（ＰＨＩＣＨ）を含む他の物理チャネルも伝送する。物理チャネルは、上位レイヤからのデータを伝送する。
【００１０】
ＯＦＤＭサブフレームはさらに物理信号を伝送する。この物理信号は、システム同期、セル識別、および無線チャネル推定に用いるために、レイヤ１で生成される。物理信号には、プライマリ同期信号（Ｐ−ＳＣＨ）、セカンダリ同期信号（Ｓ−ＳＣＨ）、および基準信号（ＲＳ）が含まれる。物理チャネルとは違って、物理信号は、上位レイヤで発生したデータを伝送するためには使用されない。
【００１１】
一般に、物理チャネルであるＰＤＣＣＨおよびＰＤＳＣＨは、ＯＦＤＭサブフレームの大部分を占有する。従って、簡潔にするために、図２のＯＦＤＭサブフレームは、ＰＤＣＣＨとＰＤＳＣＨに分配されているように示されている。
【００１２】
ＰＤＣＣＨは、あらゆるＯＦＤＭサブフレームの制御領域で送信される。この制御領域は、ダウンリンクサブフレームの最初のいくつか（１、２、３または４）のＯＦＤＭシンボルを備え、１つ以上の制御チャネルエレメント（ＣＣＥ、Control Channel Element）に分けられる。ＰＤＣＣＨが利用可能なＣＣＥ数は、帯域幅および制御領域用のＯＦＤＭシンボル数などの構成パラメータに依存する。各ＰＤＣＣＨは、１、２、４または８個のＣＣＥのアグリゲーション（集約）で送信される。ＰＤＣＣＨで使用されないダウンリンクサブフレームは、データを伝送するためにＰＤＳＣＨで使用されてもよい。
【００１３】
アップリンクでは、物理チャネルおよび物理信号は、ＳＣ−ＦＤＭＡフレームで運ばれる。アップリンク物理チャネルおよびアップリンク物理信号の役割は、物理チャネルが上位レイヤで発生したデータを伝送するために使用され、物理信号がレイヤ１の目的のために使用される点で、ダウンリンクの対応するものと同様である。ＰＵＳＣＨおよびＰＵＣＣＨに加えて、アップリンク物理チャネルには、物理ランダムアクセスチャネル（ＰＲＡＣＨ）が含まれる。アップリンク物理信号には、基準信号（ＲＳ）が含まれる。
【００１４】
図３は、ＳＣ−ＦＤＭＡサブフレームを単純化した様子を示す図である。この図は、ＰＵＳＣＨリソースとＰＵＣＣＨリソースだけを示しているという点で単純化されている。すなわち、ＳＣ−ＦＤＭＡサブフレームは、主としてＰＵＣＣＨとＰＵＳＣＨとの間で分配されると見なしている。ＰＵＳＣＨリソースは、ＳＣ−ＦＤＭＡ周波数スペクトルの中間のサブキャリアを占有する。スペクトル帯の端には、ＰＵＣＣＨを送信する制御領域がある。ＰＵＣＣＨは、ＣＱＩ報告、ＳＲおよびＡＣＫ／ＮＡＣＫ（ＨＡＲＱ−ＡＣＫとも呼ばれる）を含むアップリンク制御情報を伝送する。
【００１５】
ＰＵＣＣＨの効率的なリソース利用を可能にするために、いくつかのＵＥのＳＲ、ＣＱＩ、およびＡＣＫ／ＮＡＣＫ応答が、符号分割多重（ＣＤＭ）によってＰＵＣＣＨ上に多重される。これによって、いくつかのＵＥが１つのＰＵＣＣＨ  ＰＲＢを共用することが可能になる。一例として、標準サイクリックプレフィックス（ＣＰ）を有するＳＣ−ＦＤＭＡサブフレームに関しては、最大で１２台の異なるＵＥがＣＱＩ報告のために１つのＰＵＣＣＨ  ＰＲＢを共用してもよい。拡張ＣＰに関しては、８つのＵＥが同様にＣＱＩ報告のために１つのＰＲＢを共用してもよい。ＳＲおよびＡＣＫ／ＮＡＣＫ応答のために、標準ＣＰに関しては、最大で３６台の異なるＵＥが１つのＰＲＢを共用してもよく、拡張ＣＰに関しては、最大で２４台の異なるＵＥが共用してもよい。
【発明の概要】
【発明が解決しようとする課題】
【００１６】
ＰＵＣＣＨでＣＤＭを使用するには、ある問題が存在する。ＬＴＥに関して計画されている展開は、同じ周波数帯をネットワークの各セルで再使用するリユース・ワン・ネットワークである。リユース・ワン・ネットワークにおいては、セル間干渉が典型的な制限要因でとなる。さらに、時間分散がセル内干渉をもたらすこともある。両方の種類の干渉とも、ＰＲＢ当たりで利用されるリソース数すなわちＣＤＭコード数とともに大きくなる。干渉は、制御されないと、システム全体の性能の深刻な低下をもたらしかねない。
【００１７】
３ＧＰＰの標準ソリューションは、ＳＲおよびＡＣＫ／ＮＡＣＫのフィードバック報告に関するＰＵＣＣＨ  ＰＲＢ当たりの負荷を減少するために、１つのオプションだけを提供している。そのオプションは、リソースの半分または３分の１だけしか使用できないようにすることである。言い換えると、ＰＵＣＣＨが割り当てられるが、割り当てられたリソースのすべてをＰＵＣＣＨ送信に使用できないのである。
【００１８】
既存の標準負荷制御の１つの欠点は、ＰＵＳＣＨのスループットが低下することである。ＳＣ−ＦＤＭＡサブフレームは本質的に一定のリソースであるから、ＰＵＣＣＨのために取っておかれるサブフレームリソースが多くなると、ＰＵＳＣＨのために利用可能なリソースが少なくなることを意味する。このオプションを使用してＰＵＣＣＨを構成すると、ＰＵＣＣＨのために保留される帯域幅を事実上２倍または３倍に増加させ、これは、ＰＵＳＣＨ用の帯域幅を大幅に減少させることになりかねない。さらに、この標準負荷制御は、干渉レベルを十分に減少させそうにない。
【課題を解決するための手段】
【００１９】
本発明の一態様では、ＰＵＣＣＨ負荷が、ＰＲＢ当たりで利用されるリソースの観点から制御される。基地局は、ダウンリンクサブフレームのＰＤＣＣＨ  ＣＣＥインデックスから、ＡＣＫ／ＮＡＣＫ応答の送信のためのＰＵＣＣＨリソースインデックスおよびアップリンクサブフレームの対応するＰＲＢへのマッピングの正確な情報を有する。ＰＤＣＣＨ上のダウンリンク（ＤＬ）アサインメント（割り当て）の配置を制御することによって、ＰＵＣＣＨ負荷を制御し得る。
【００２０】
一実施形態では、基地局のスケジューラが、ＰＵＣＣＨ負荷を制御するために、ダウンリンクサブフレームのダウンリンク（ＤＬ）データをスケジュールする方法を実施する。ダウンリンクサブフレームは、無線ネットワークの１つ以上の無線端末に宛てられる。ダウンリンクサブフレームは、ＰＤＣＣＨを伝送し得る制御領域を含む。制御領域には、１つ以上の制御チャネルエレメント（ＣＣＥ）領域を含む。
【００２１】
ＰＤＣＣＨは、ＰＤＣＣＨが制御領域の１つ以上のＣＣＥ領域にマッピングするように構成される。ＣＣＥ領域において割り当てられた各ＤＬアサインメントに関して、マッピングされたＰＵＣＣＨ  ＰＲＢがＤＬアサインメントに起因して受信側の無線端末からＡＣＫ／ＮＡＣＫ応答を伝送するように、ＰＤＣＣＨの各ＣＣＥ領域は、アップリンクサブフレームのＰＵＣＣＨ  ＰＲＢにマッピングする。
【００２２】
本発明の方法では、スケジューラが、ダウンリンクサブフレームの制御領域のＰＤＣＣＨからＣＣＥ領域を選択する。ＣＣＥ領域の選択後、スケジューラは、選択したＣＣＥ領域にＤＬデータに対応するＤＬアサインメントを割り当て得るかどうかを判定する。スケジューラは、ＤＬアサインメントに対応するＡＣＫ／ＮＡＣＫ応答を伝送することになるこれから先のアップリンクサブフレームの対応するＰＵＣＣＨ  ＰＲＢに負わせることになる負荷に基づいて判定してもよい。次いでスケジューラは、ＤＬアサインメントを割り当て得ると判定すると、選択したＣＣＥ領域にＤＬアサインメントを割り当てる。そうでなければ、スケジューラは、別のＣＣＥ領域を選択してプロセスを繰り返す。
【００２３】
スケジューラは、選択したＣＣＥ領域自体の負荷容量に基づき、選択したＣＣＥ領域にＤＬアサインメントを割り当てるか否かを判定してもよい。この態様によれば、スケジューラは、選択したＣＣＥ領域のＤＬ負荷を測定する。一代替形態では、ＤＬ負荷は、選択されたＣＣＥ領域の中の、ＡＣＫ／ＮＡＣＫ応答を必要とする他のＤＬアサインメントを伝送するために既に割り当てられているリソース量に基づき測定される。別の代替形態では、ＤＬ負荷は、選択されたＣＣＥ領域の中の、ＡＣＫ／ＮＡＣＫ応答を必要とする既に割り当てられている他のＤＬアサインメント数に基づき測定される。
【００２４】
ＤＬ負荷が最大ＤＬ負荷閾値未満のとき、スケジューラは、選択したＣＣＥ領域にＤＬアサインメントを割り当てできると判定する。最大ＤＬ負荷閾値は、すべてのＣＣＥ領域に対して予め一律に設定されてもよいし、またいくつかの考慮事項に基づき各ＣＣＥ領域に対して個別に設定されてもよい。
【００２５】
スケジューラは、選択したＣＣＥ領域に対応するＰＵＣＣＨ  ＰＲＢの負荷容量に基づき、ＤＬアサインメントを割り当てるか否かを判定してもよい。この態様では、スケジューラは、対応するＰＵＣＣＨ  ＰＲＢのアップリンク（ＵＬ）負荷を測定する。例えば、ＵＬ負荷は、対応するＰＵＣＣＨ  ＰＲＢによって伝送されるように既にスケジュールされているＡＣＫ／ＮＡＣＫ数に基づいてもよい。
【００２６】
対応するＰＵＣＣＨ  ＰＲＢのＵＬ負荷が最大ＵＬ負荷閾値未満であるとき、スケジューラは、選択したＣＣＥ領域にＤＬアサインメントを割り当てできると判定する。最大ＵＬ負荷閾値は、すべてのＰＵＣＣＨ  ＰＲＢに対して予め一律に設定されてもよいし、またいくつかの考慮事項に基づき対応するＰＵＣＣＨ  ＰＲＢに対して個別に設定されてもよい。
【００２７】
本発明には様々な利点がある。まず、ＰＵＣＣＨの動的領域をより柔軟に扱うことが可能な負荷制御方式が提供される。この方式は、ＰＵＣＣＨを利用した適応制御を可能にする。従って、セル間干渉およびセル内干渉を制御し得る一方で、システム全体でのスループットを向上する。同様に、ＰＵＣＣＨ負荷をＰＵＣＣＨ構成とは無関係に制御し得る。この意味は、ＰＵＣＣＨのために保留される帯域幅を最小限に抑え得る一方で、依然として負荷制御を可能にするということである。これは、システムスループットをさらにもっと向上させる。
【００２８】
本発明の前述および他の目的、特徴および利点は、参照文字が種々の図面を通して同じ構成エレメントを指す添付の図面に示される好ましい実施形態についての、以下のより詳細な説明から明らかになるであろう。図面は必ずしも一定の率で拡大縮小されておらず、代わりに本発明の原理を明らかにする強調が行われている。
【図面の簡単な説明】
【００２９】
【図１】ＬＴＥフレームのサブフレームを示す図である。
【図２】ＬＴＥにおいてＰＤＣＣＨとＰＤＳＣＨとの間で配分された単純化したダウンリンクＯＦＤＭサブフレームを示す図である。
【図３】ＬＴＥにおいてＰＵＣＣＨとＰＵＳＣＨとの間で配分された単純化したアップリンクＳＣ−ＦＤＭＡサブフレームを示す図である。
【図４】ダウンリンクサブフレームの中のＣＣＥ領域のＣＣＥインデックスをアップリンクサブフレームのＰＲＢにマッピングする一例を示す図である。
【図５】ダウンリンクサブフレームにダウンリンクデータアサインメントをスケジュールする方法の一例を示す図である。
【図６】選択されたＣＣＥ領域にＤＬアサインメントを割り当てできるかどうかを判定するプロセスの一例を示す図である。
【図７】選択されたＣＣＥ領域にＤＬアサインメントを割り当てできるかどうかを判定するプロセスの別の例を示す図である。
【図８】基地局のスケジューラの実施形態の一例を示す図である。
【発明を実施するための形態】
【００３０】
以下の記述では、本発明の完全な理解を提供する手段として、限定でなく説明のために、特定のアーキテクチャ、インタフェース、技法等のような具体的な詳細を記載する。しかし、本発明がこれらの具体的な詳細から離れた他の実施形態で実践され得ることは、当業者には明白であろう。すなわち、本明細書に明示的に記述または図示されていないが、本発明の原理を具現し、本発明の精神および範囲内に含まれる種々のアレンジメントを当業者は考案できるであろう。
【００３１】
いくつかの場合には、公知のデバイス、回路および方法の詳細な記述は、不要な詳細で本発明の記述を不明瞭にしないように省略している。本発明の原理、態様および実施形態ならびにそれらの具体例を列挙する本明細書のすべての記述は、その構造上および機能上の両方の均等物を包含することを意図している。さらに、そのような均等物は、現在既知の均等物と、将来開発される均等物すなわち構造にかかわらず同じ機能を実行するあらゆる開発される要素との両方を含むことも意図している。
【００３２】
従って、例えば、本明細書のブロック図が本技術の原理を具現する具体的回路の概念図を表し得ることを、当業者は理解するであろう。同様に、フロー図、状態遷移図、疑似コードなどのどれもが、コンピュータで読み取り可能な媒体に実質上表現され、コンピュータまたはプロセッサが明示的に示されていようがいまいが、そのようなコンピュータまたはプロセッサで実行され得る種々のプロセスを表すことが理解されるであろう。
【００３３】
「プロセッサ」または「コントローラ」と呼ばれるかまたは描かれている機能ブロックを含む種々の要素の機能は、専用ハードウェアおよび適切なソフトウェアを伴うソフトウェア実行可能ハードウェアの使用によって提供されてもよい。プロセッサによって提供されるとき、機能は、１つの専用プロセッサによって、１つの共用プロセッサによって、または一部が共用もしくは分散されてもよい複数の個別プロセッサによって提供されてもよい。さらに、「プロセッサ」または「コントローラ」という用語の明示的使用は、ソフトウェアを実行できるハードウェアだけを指すと解釈されるべきでなく、デジタル信号プロセッサ（ＤＳＰ）ハードウェア、ソフトウェアを格納するためのリードオンリメモリ（ＲＯＭ）、ランダムアクセスメモリ（ＲＡＭ）、および不揮発性記憶装置を含んでもよいが、これらに限定されない。
【００３４】
以下の記述では、３ＧＰＰネットワーク、特にＬＴＥを使用して説明する。しかし、本発明の範囲はそれに限定されない。本明細書に記載する概念は、他の種類の無線ネットワークにも適用可能であろう。一例として、ＰＵＣＣＨという用語を使用するが、この用語はまた、無線ネットワーク（例えば、ＬＴＥ）の無線端末（例えば、ユーザ装置）から基地局（例えば、ｅＮｏｄｅＢ）への上り方向に制御信号を転送できる、ネットワークの任意の物理チャネルに言及し得る。同様に、ＰＤＣＣＨという用語は、基地局から無線端末への下り方向に制御信号を転送できる、ネットワークの任意の物理チャネルに言及し得る。
【００３５】
図４に示されるように、半固定的に構成されたＰＵＣＣＨリソースと動的に構成されたＰＵＣＣＨリソースの両方があり得る。半固定的に割り当てられたリソースは、無線端末が同期を失ったり、サービスセッションを終了したり、ハンドオーバを行ったり、または他の理由でリソースが無効になったりするまでの間、基地局に接続された無線端末に対して有効なリソースである。半固定的リソースの例には、チャネル状態報告（例えば、ＣＱＩ）、スケジューリング要求（ＳＲ）、および半固定的ＡＣＫ／ＮＡＣＫを含む。
【００３６】
他方、動的に割り当てられるリソースは、１個のスロットまたは１個のサブフレームのような特定の期間だけ有効である。ほとんどの場合、無線端末に対するＡＣＫ／ＮＡＣＫリソースは動的に割り当てられるので、宛先となる受信側の無線端末のそれぞれが、過去に受信したダウンリンク（例えば、ＯＦＤＭ）サブフレームのＰＤＳＣＨで運ばれた無線端末宛てのダウンリンク（ＤＬ）データに対する応答を提供し得る。受信側の無線端末は、ＰＤＣＣＨ上のＤＬアサインメントを読み取ることによって、ＰＤＳＣＨ上の自端末宛ての対応するＤＬデータの位置を特定し得る。
【００３７】
図３に示すとともに、上記したように、アップリンクＳＣ−ＦＤＭＡサブフレームは、主としてＰＵＣＣＨとＰＵＳＣＨとの間で配分される。この意味することは、アップリンクリソースがＰＵＣＣＨにより多く割り当てられると、ＰＵＳＣＨで利用可能なリソースは少なくなり、そして逆もまた同様である。ＰＵＳＣＨが主としてユーザデータを転送するために利用されるのに対して、ＰＵＣＣＨは制御信号を転送するためだけに使用される。この制御信号は、無線伝送に関係するオーバヘッドとなる。
【００３８】
従って、データスループットを大きくするためには、ＰＵＳＣＨの割り当てを増加すべきである。これは、多くの無線端末がアップリンクサブフレームの同じ時間−周波数リソースでＣＱＩ報告、ＳＲ、およびＡＣＫ／ＮＡＣＫ応答を同時に送信できるように、例えば１つのＰＵＣＣＨ  ＰＲＢを共用する手段として多くのＣＤＭコードを割り当てるなどの、ＰＵＣＣＨの積極的割り当てで達成されてもよい。しかし、多くの無線端末が同じ時間−周波数リソースを同時に使用すると、無線端末からの送信のエラー率が容認できなくなるほど大きくなる危険をはらんでおり、それは、期待される効果とは反対に、システムおよび／またはユーザのスループットを低下させ、システム全体の性能を低下させるであろう。
【００３９】
他方、不必要に慎重な割り当ても、ＰＵＣＣＨに割り当てるリソース量の増加またはＰＵＣＣＨで送信するシグナリング量の減少という危険を抱えている。ＰＵＣＣＨ割り当ての増加は、それ相応にＰＵＳＣＨで利用可能なアップリンクリソースの量を減少させ、これは、データスループットの低下をもたらすことがある。シグナリング量の減少は、遅延（ＳＲ機会が少ない）、チャネル情報がより不正確（ＣＱＩ報告が少ない）、およびスケジューラへの制約（ＡＣＫ／ＮＡＣＫ応答数の柔軟性が小さい）に起因する性能の低下をもたらすことがある。
【００４０】
ＰＵＣＣＨとＰＵＳＣＨを適切な大きさにすることによって、データスループットの最大化と干渉の最小化との間の良好なトレードオフを達成できる。特に、１つのＰＲＢがアップリンク制御情報を多く搬送し過ぎないようにスケジュールされるように、各ＰＵＣＣＨ  ＰＲＢの負荷は調整されてもよい。これは、干渉を最小限に抑えることである。また、ＰＲＢの負荷を個別に制御できると、ＰＲＢへの過剰割り当てを回避できるので、ＰＵＣＣＨに適切に割り当てできる。これは、ＰＵＳＣＨの割り当てを最大にし、スループットを増加する。残念ながら、ＬＴＥのｅＮｏｄｅＢスケジューラは、無線端末からの応答をアップリンクＰＲＢに直接スケジュールすることはない。
【００４１】
アップリンクＰＵＣＣＨ  ＰＲＢの負荷を制御する１つのやり方は、間接的方法によるものである。図４に示されるように、ＰＤＣＣＨのＣＣＥ領域への動的ＤＬアサインメントの配置と、動的ＤＬアサインメントに対応して動的ＡＣＫ／ＮＡＣＫ応答を搬送することが予定されている特定のＰＵＣＣＨ  ＰＲＢの選択との間には関係が有る。さらに、（ＰＤＳＣＨで）過去に受信したダウンリンクデータに対する無線端末からのＡＣＫ／ＮＡＣＫ応答を含むＨＡＲＱフィードバック報告は、ＰＵＣＣＨの動的領域で送信されるように割り当てられる。
【００４２】
このＰＵＣＣＨの動的領域においてＡＣＫ／ＮＡＣＫ応答を搬送するＰＲＢのマッピングは、無線端末により受信される対応するＤＬデータのＰＤＣＣＨ制御情報を搬送するＣＣＥの開始インデックスから導かれる。これにより、スケジューラは、正確なマッピング情報を取得する。従って、一態様では、スケジューラが、セル内干渉およびセル間干渉の最小化とデータスループットの最大化との間のトレードオフを最適化するために、マッピング情報を使用する。スケジューラは、ＤＬアサインメントを直接スケジュールするので、マッピング情報を使用して、アップリンクの個別のＰＵＣＣＨ  ＰＲＢ負荷を間接的に制御し得るか、または少なくとも影響を及ぼし得る。
【００４３】
この態様では、ＰＵＣＣＨ  ＰＲＢ当たり利用されるリソース（例えば、ＣＤＭコード）の点から見た負荷が、例えばＣＣＥ領域にＤＬアサインメントを適切にスケジュールするなどの、ＰＤＣＣＨの適切なスケジューリングによって制御される。特に、ＰＵＣＣＨ領域の動的部分の負荷は、無線端末からのＡＣＫ／ＮＡＣＫ応答を必要とする動的ＤＬアサインメントの割り当てを、ダウンリンクサブフレームのＣＣＥ領域にスケジュールすることによって間接的に制御される。ＤＬアサインメントの割り当てを適切に配置することによって、ＰＵＣＣＨ上の任意の１つのＰＲＢをＣＤＭによって同時に共用する無線端末数を制限できる。
【００４４】
プロセスの一例では、ＰＤＣＣＨ上の潜在的なＤＬアサインメントに対応してＡＣＫ／ＮＡＣＫ応答を搬送するであろうＰＵＣＣＨ  ＰＲＢが特定される。ダウンリンクサブフレームで行われるＤＬアサインメントの情報を格納することによって、どのＰＵＣＣＨ  ＰＲＢにおいても所定の最大数を超えるリソース（例えば、ＣＤＭコード）が利用されることがないように制御し得る。このようにして、ＰＵＣＣＨ領域の動的部分の負荷を制御し得る。
【００４５】
これについては、ＳＣ−ＦＤＭＡ（アップリンク）サブフレームのＰＵＣＣＨ  ＰＲＢからＯＦＤＭ（ダウンリンク）サブフレームのＣＣＥ領域へのマッピングを示す図４を参照して説明する。ＣＣＥインデックスは、ダウンリンクサブフレームのＣＣＥ数およびＰＵＣＣＨ構成に基づき、ＣＣＥ領域にマッピングされる。ダウンリンクサブフレームの所与の制御領域に関して、利用可能なＣＣＥインデックスは、相当数のＣＣＥ領域に分割される。すなわち、ＣＣＥインデックスは、制御領域が１つ以上のＣＣＥ領域を含むように分割される。
【００４６】
ＰＤＣＣＨは、制御領域で運ばれる。ＰＤＣＣＨは、制御領域の１つ以上のＣＣＥ領域にマッピングするように構成される。ＣＣＥ領域は、ＰＤＣＣＨの各ＣＣＥ領域が同じＰＵＣＣＨ  ＰＲＢに割り当てられたＡＣＫ／ＮＡＣＫ応答に対応するＣＣＥインデックスのセットとして規定され得るように構成される。言い換えれば、ＰＤＣＣＨのＣＣＥ領域に割り当てられた各ＤＬアサインメントに関して、同じＰＵＣＣＨ  ＰＲＢが対応するＡＣＫ／ＮＡＣＫ応答を伝送するであろう。１つのＣＣＥ領域にグループ化されている複数のＣＣＥインデックスは、ＣＣＥ数とＰＵＣＣＨ構成の両方に依存する。
【００４７】
ＰＤＣＣＨの各ＣＣＥ領域は、サブフレーム当たりで許容されるＤＬデータアサインメント数として指定される容量を割り当てられる。この容量の値は、個別に設定されてもよいし、また互いに関連してもよい。この値は、ある一定値に設定されてもよいし、またＰＵＣＣＨチャネル品質推定値への適応を許容されてもよい。好ましくは、第１のＣＣＥ領域に容量を割り当てるとき、特別な配慮が払われるべきである。この理由は、対応するＰＵＣＣＨ  ＰＲＢが半固定的に構成されたリソースと共用されてもよいからである。
【００４８】
ＰＤＣＣＨでＤＬデータアサインメントをマッピングする前に、対応するＣＣＥ領域の残りの容量がチェックされる。当該ＣＣＥ領域は、潜在的なＣＣＥアサインメントの開始インデックスから導かれる。示される負荷が容量未満である場合、ＤＬアサインメントの配置が実行され、対応するＣＣＥ領域負荷の負荷が増加する。負荷が容量以上である場合、ＤＬアサインメントは所与のＣＣＥ領域に配置されない。これらの制約に従うことによって、ＰＵＣＣＨ負荷が許容容量を決して超えないことを保証し得る。
【００４９】
図５は、無線ネットワークにおいて基地局から１つ以上の無線端末宛てのダウンリンクサブフレームにダウンリンク（ＤＬ）データをスケジュールする一例の方法Ｍ５００を示す。無線ネットワークがＬＴＥネットワークすなわち３ＧＰＰネットワークであるとき、基地局は、ｅＮｏｄｅＢと呼ばれる。ステップＳ５１０において、ダウンリンクサブフレームの制御領域で運ばれるＰＤＣＣＨから制御チャネルエレメント（ＣＣＥ）が選択される。
【００５０】
ステップＳ５２０において、選択されたＣＣＥ領域にＤＬデータに対応するＤＬアサインメントを割り当てできるか否かの判定が行われる。割り当てできる場合、ステップＳ５３０で、選択されたＣＣＥ領域へのＤＬアサインメントの割り当てが行われる。割り当てできない場合、ステップＳ５４０において、他のＣＣＥ領域があるか否かが判定される。ＣＣＥ領域がある場合、他のＣＣＥ領域の１つを選択して、プロセスが繰り返される。
【００５１】
この方法では、ＤＬアサインメントは、これから先のアップリンクサブフレームにおいて、受信対象の無線端末からのＡＣＫ／ＮＡＣＫ応答を必要とする。すなわち、ＤＬアサインメントは動的に割り当てられる。ステップＳ５２０におけるＤＬアサインメントを選択されたＣＣＥ領域に割り当てできるかどうかの判定は、ＤＬアサインメントに起因して受信側の無線端末からのＡＣＫ／ＮＡＣＫ応答を搬送することになっている対応するＰＵＣＣＨ  ＰＲＢが負うであろう負荷に基づき行われてもよい。
【００５２】
ＰＤＣＣＨが制御領域の１つ以上のＣＣＥ領域にマッピングすることを思い起こされたい。従って、この方法で選択されたＣＣＥ領域は、ＰＤＣＣＨにマッピングされたＣＣＥ領域の１つである。同様に、ＣＣＥ領域に割り当てられた各ＤＬアサインメントに関して、ＤＬ領域で割り当てられたＤＬアサインメントに起因して、マッピングされたＰＵＣＣＨ  ＰＲＢが、受信対象の無線端末からのＡＣＫ／ＮＡＣＫ応答を伝送するように、ＰＤＣＣＨの各ＣＣＥ領域がアップリンクサブフレームのＰＵＣＣＨ  ＰＲＢにマッピングするようにＣＣＥ領域が構成されることを思い起こされたい。
【００５３】
図５では、ステップＳ５３０における選択されたＣＣＥ領域へのＤＬアサインメントの割り当ては、ステップＳ５２０でＤＬアサインメント可能と判定されたときに行われる。図６は、ステップＳ５２０を実施するプロセスの一例を示す。図６のプロセスは、選択されたＣＣＥ領域のダウンリンク（ＤＬ）負荷を測定するステップＳ６２０を有する。１つの視点では、選択されたＣＣＥ領域のＤＬ負荷は、１つ以上の受信側の無線端末からの対応する１つ以上のＡＣＫ／ＮＡＣＫ応答を必要とする、１つ以上の他のＤＬアサインメントを搬送するように既に割り当てられている選択されたＣＣＥ領域のリソース量に基づき測定されてもよい。別の視点では、ＤＬ負荷は、１つ以上の受信側の無線端末からの対応する１つ以上のＡＣＫ／ＮＡＣＫ応答を必要とする選択されたＣＣＥ領域に既に割り当てられた１つ以上のＤＬアサインメントの数に基づいてもよい。
【００５４】
選択されたＣＣＥ領域のＤＬ負荷を測定した後に、プロセスは、ステップＳ６３０でＤＬ負荷が最大ＤＬ負荷閾値未満であるかどうかを判定する。ＤＬ負荷が最大値未満である場合、選択されたＣＣＥ領域にＤＬアサインメントを割り当てることができる。そうでない場合、ＤＬアサインメントを割り当てることはできない。
【００５５】
簡単な実施では、最大ＤＬ負荷閾値は、すべてのＣＣＥ領域に対して同じに設定されてもよい。しかし、最大ＤＬ負荷閾値は、各ＣＣＥ領域に対して個別に設定されてもよい（ステップＳ６１０）。最大ＤＬ負荷閾値を個別に設定するための様々な考慮事項があってもよい。一例では、第１のＣＣＥ領域に対応するＰＵＣＣＨ  ＰＲＢは、半固定的に構成されたリソースと共用することができよう。この場合は、第１のＣＣＥ領域に割り当てられ得る動的ＤＬアサインメントの数は、共用のせいで影響を受けるであろう。別の考慮事項は、アップリンクサブフレームのＰＵＣＣＨのチャネル品質でもよい。最大ＤＬ負荷閾値は、チャネル品質が向上すると大きくなってもよく、逆もまた同様である。
【００５６】
他の例では、スケジューラは、前もって、ダウンリンクサブフレームで行われるであろうＤＬアサインメントの総数を計算し得る。次いで、ＤＬアサインメントをＣＣＥ領域の間で実質上均一に配分するように、最大ＤＬ負荷閾値が設定されてもよい。スケジューラは、これから先のアップリンクサブフレームで予想されるＡＣＫ／ＮＡＣＫ応答数も測定し得る。スケジューラは、ＡＣＫ／ＮＡＣＫ応答をこれから先のアップリンクサブフレームのＰＲＢの間で実質上均一に配分するように、各ＣＣＥ領域に対する閾値レベルを設定し得る。これらの考慮事項および他の考慮事項のどんな組み合わせも、各ＣＣＥ領域に対する最大ＤＬ負荷閾値を設定するために考慮されてもよい。
【００５７】
図６に示されるプロセスは、選択されたＣＣＥ領域自体のダウンリンク負荷容量に基づき、選択されたＣＣＥ領域にＤＬアサインメントを割り当てできるか否かを判定する。しかし、同様の判定は、選択されたＣＣＥ領域に対応するＰＵＣＣＨ  ＰＲＢのアップリンク負荷容量にも基づき行われてもよい。これは図７に示されており、この図７は、ステップＳ５２０を実施するプロセスの別の例のフロー図である。
【００５８】
このプロセスでは、対応するＰＵＣＣＨ  ＰＲＢのアップリンク（ＵＬ）負荷がステップＳ７２０で測定される。次いでステップＳ７３０において、対応するＰＵＣＣＨ  ＰＲＢのＵＬ負荷が最大ＵＬ負荷閾値未満であるかどうかが判定される。対応するＰＵＣＣＨ  ＰＲＢのＵＬ負荷が最大ＵＬ負荷閾値未満である場合、選択されたＣＣＥ領域にＤＬアサインメントを割り当てることができる。そうでない場合、選択されたＣＣＥ領域にＤＬアサインメントを割り当てることはできない。対応するＰＵＣＣＨ  ＰＲＢのＵＬ負荷は、対応するＰＵＣＣＨ  ＰＲＢによって運ばれるように既にスケジュールされているＡＣＫ／ＮＡＣＫ応答数に基づいてもよい。
【００５９】
最大ＵＬ負荷閾値は、すべてのＰＵＣＣＨ  ＰＲＢに対して同じに設定されてもよいし、またＰＵＣＣＨ  ＰＲＢに対して個別に設定されてもよい（ステップＳ７１０を参照されたい）。ＰＵＣＣＨのチャネル品質、対応するＰＵＣＣＨ  ＰＲＢに対して既にスケジュールされている半固定的に割り当てられたアップリンク制御情報リソースの量、ダウンリンクサブフレームに対するＤＬアサインメントの総数、これから先のアップリンクサブフレームで運ばれることが予想されるＡＣＫ／ＮＡＣＫ応答の総数などの同じ考慮事項の多くが、対応するＰＵＣＣＨ  ＰＲＢに対する最大ＵＬ負荷閾値を決定するために考慮されてもよい。
【００６０】
図８は、上述のステップの方法を実行するように構成された基地局のスケジューラの一実施形態を示す。スケジューラ８００は、処理部８１０、通信部８２０、および格納部８３０を有する。通信部８２０は、無線ネットワークのゲートウェイノードから無線端末宛てのダウンリンクデータを受信するように構成される。格納部８３０は、ダウンリンクデータをバッファするように、およびスケジューリング情報を格納するように構成される。処理部８１０は、スケジューリングサービスを提供するように、ならびに上述の方法およびプロセスを実行するように通信部８２０および格納部８３０を制御するように構成される。
【００６１】
例示の実施形態および方法の多くの利点の中の１つは、既存の３ＧＰＰ標準が提供する方法より柔軟なＰＵＣＣＨ動的領域の負荷制御方式が可能なことである。ＰＵＣＣＨ利用の適応制御によって、セル間干渉およびセル内干渉の制御が可能になり、それによって、システム全体のスループットが向上する。さらに、ＰＵＣＣＨ負荷をＰＵＣＣＨ構成とは関係なく制御し得る。この意味することは、ＰＵＣＣＨのために予約される帯域幅を最低限に維持できる一方で、依然として十分な負荷制御が可能なことである。これは、システムスループットをさらにもっと向上するであろう。
【００６２】
所与のＣＣＥアグリゲーションレベルに関して、ＰＤＣＣＨ候補は、３ＧＰＰ標準によって定められるサーチ空間によって与えられる相当数のＣＣＥ位置に配置されてもよい。サーチ空間は、ＣＣＥアグリゲーションレベル、無線ネットワーク一時識別情報（ＲＮＴＩ）、およびサブフレーム番号で変わる。さらに、各サブフレームでのスケジューリングに多数のＰＤＣＣＨ候補を利用できることが予想されている。これを考慮すると、課される制御制約は、ＰＤＣＣＨに上手くスケジュールされてもよいユーザ数または時間がたって１人のユーザが締め出されるかもしれないことのどちらにも大きな悪影響を及ぼしそうにない。
【００６３】
これまでの記述は多くの特定事項を含んでいるが、これらは、本発明の範囲を限定すると解釈されるべきでなく、本発明の現在好ましい実施形態のいくつかの例証を提供しているにすぎないと解釈されるべきである。それ故、本発明の範囲が当業者に明らかになるかもしれない他の実施形態も完全に包含し、それに応じて本発明の範囲が限定されないことが理解されるであろう。上述の好ましい実施形態のエレメントの当業者に公知のすべての構造上および機能上の均等物は、参照によって本願に明示的に引用したものとし、本明細書に包含することを意図している。さらに、１つのデバイスまたは１つの方法が、本明細書に包含する、本明細書に記載または本技術が解決しようとするありとあらゆる問題に取り組む必要はない。さらに、本開示のエレメント、コンポーネントまたは方法動作を大衆に捧げる意図はない。
【図１】
0005421393.tif 000002
【図２】
0005421393.tif 000003
【図３】
0005421393.tif 000004
【図４】
0005421393.tif 000005
【図５】
0005421393.tif 000006
【図６】
0005421393.tif 000007
【図７】
0005421393.tif 000008
【図８】
0005421393.tif 000009